(57)【特許請求の範囲】
【請求項１】
ルアー本体の内部に設けられた空間部に対して長手方向に線材を配し、この線材に沿って重錘体を前後に移動可能に遊嵌した魚釣用ルアーにおいて、
前記重錘体の後側で前記線材にストッパーを遊嵌するとともに、このストッパーを磁着可能な磁性部を空間部内に配設し、
前記重錘体が線材上を前端側に移動したとき、ストッパーを重錘体から離間させて磁性部に磁着し、線材の後端側への移動を規制することを特徴とする魚釣用ルアー。
【請求項２】
前記磁性部は、前記ルアー本体の空間部に突出する突部で形成されていることを特徴とする請求項１に記載の魚釣用ルアー。
【発明の詳細な説明】
【０００１】
【発明の属する技術分野】
この発明は魚釣用ルアーに関する。
【０００２】
【従来の技術】
従来からルアー本体内に設けた重り（重錘体）がルアー本体の長手方向に沿って移動し、投入時に大きな飛距離を稼げる魚釣用ルアーが使用されている。このようなルアーとしては例えば実公平３−１５０２１号公報に開示されているものがある。この技術の魚釣用ルアーは、ルアー本体内の長手方向に設けた通路内を球状の重りが転がりながら移動して通路前端（釣糸止着部）側の磁石で保持されるものである。
【０００３】
しかし、この魚釣用ルアーは重りが移動するときに転がり音が発生するため、魚を警戒させてしまうことがある。
【０００４】
また、特開２００１−２９９１５０号公報で開示された魚釣用ルアーの技術は、ルアー本体内に長手方向に設けた線材に重りを遊嵌させ、この線材に沿って重りを前後に移動自在にしたものである。この技術のルアーでは、重りが釣糸止着部側に移動したとき、その内部壁に設けた磁石に保持される。このルアーにおいては重りが線材に沿って移動するため、移動時に音がすることが抑制され、魚を警戒させることを防ぐことができる。
【０００５】
【発明が解決しようとする課題】
しかし、このような魚釣用ルアーでは、線材に沿って重りが移動するため、摩擦抵抗が大きく、重りの動きが鈍くなることがある。また、内壁部に当接した状態で磁着された重りの端部が磁着保持される。このため、ルアーの泳動中には重りが確実に長手方向の一端側（頭部側）で保持されるが、ルアー投入時にルアーの頭部側を上にしてぶら下げた場合、重りが長手方向の他端側（尾部側）に落下せず、ルアーの重心がルアーの他端側に移動しないことがある。
【０００６】
この発明はこのような事情に着目してなされたものであり、その目的とするところは、重心移動時の音の発生を抑制するとともに、ルアー投入時に確実に重心を移動することができる魚釣用ルアーを提供することにある。
【０００７】
【課題を解決するための手段】
上記課題を解決するために、この発明の、ルアー本体の内部に設けられた空間部に対して長手方向に線材を配し、この線材に沿って重錘体を前後に移動可能に遊嵌した魚釣用ルアーにおいては、前記重錘体の後側で前記線材にストッパーを遊嵌するとともに、このストッパーを磁着可能な磁性部を空間部内に配設し、前記重錘体が線材上を前端側に移動したとき、ストッパーを重錘体から離間させて磁性部に磁着し、線材の後端側への移動を規制することを特徴とするものである。
【０００８】
また、前記磁性部は、前記ルアー本体の空間部に突出する突部で形成されていることが好適である。
【０００９】
【発明の実施の形態】
以下、図面を参照しながらこの発明の好ましい実施の形態について説明する。
【００１０】
［第１の実施の形態］
まず、第１の実施の形態について図１を用いて説明する。
【００１１】
図１は、この実施の形態に係る魚釣用ルアー１を示している。この魚釣用ルアー１は、左右一対の外殻体を接合して形成した合成樹脂によって形成される中空のルアー本体１ａからなる。このルアー本体１ａの内部は空間部（中空部）２となっている。また、この空間部２の長手方向の一端（前端）が頭部、他端（後端）が尾部となっている。このルアー本体１ａの腹部と尾部とにはそれぞれリング状の釣針止着部３，４が固定的に設けられており、これら釣針止着部３，４には、釣針止着用リングであるスプリットリング（接続リング）６，８を介して釣針１０，１２が係脱自在に取り付けられるようになっている。
【００１２】
また、ルアー本体１ａの例えば頭部（前端部）には、釣糸（図示せず）が止着されるリング状の釣糸止着部１４が固定的に設けられている。この釣糸止着部１４には直接またはスナップなどを介して釣糸が止着可能となっている。また、釣糸止着部１４と腹部側の釣針止着部３との間のルアー本体１ａの外表面部位には、水の抵抗を受けてルアー１を下方に向けて泳動させるリップ１６が固設されている。
【００１３】
腹部側の釣針止着部３には、ルアー本体１ａの内部空間部２内に突出した突出部１８が設けられている。そして、この突出部１８と尾部との間に金属材や合成樹脂材などからなる線材２０が架設されている。この場合、線材２０は、前端が突出部１８に固定され、後端がルアー本体１ａの尾部を形成する壁面に固定されている。また、線材２０は頭部の釣糸止着部１４と尾部の釣針止着部３とを結ぶ線に対して頭部方向が腹部側に傾斜していることが好適である。
【００１４】
また、この線材２０に沿って移動可能な例えば円柱状の重錘体２２がこの重錘体２２の好ましくは中心軸に沿って遊嵌されている。なお、この重錘体２２は、鉄、銅、鉛、タングステンやこれら材料の合金などの金属や、これら金属の１もしくは複数を混入した合成樹脂材など、小型で重心が移動しやすい比重７以上のものであることが好適である。なお、重錘体２２は、例えば三角柱や角柱や球状など、他の形状でも構わない。また、この重錘体２２の前端および後端には線材２０に沿って緩衝部材２２ａ，２２ｂが一体的に装着されている。これら緩衝部材２２ａ，２２ｂは例えば金属のばねや樹脂材などの柔らかい材料からなることが好適で、特にゴム弾性を有するゴムや合成樹脂材が良い。
【００１５】
さらに、この重錘体２２の尾部側には、線材２０に沿って例えば円盤状のストッパー２４がこのストッパー２４の中心軸に沿って遊嵌されている。このストッパー２４の外径は重錘体２２よりも大径で、磁性材料からなることが好適である。なお、ストッパー２４は磁性体が重錘体２２側に、非磁性体が尾部側に配設されて一体化された部材であっても良い。また、ストッパー２４の形状は、例えば直方体や楕円盤状、もしくは球体状など、後述する開口２８で磁着可能であればよい。
【００１６】
そして、ルアー本体１ａの内部で、重錘体２２とストッパー２４との間には、線材２０にほぼ直交する突部（磁性部）が設けられている。この実施の形態の突部としては、空間部２を頭部側の前空間部２ａと尾部側の後空間部２ｂとに仕切る仕切壁２６が設けられている。この仕切壁２６には、前空間部２ａと後空間部２ｂとを連通し、重錘体２２が挿通可能な開口（孔）２８が設けられている。なお、この開口２８は重錘体２２を挿通可能であるが、ストッパー２４は尾部側の後空間部２ｂ内でのみ移動可能である。また、後空間部２ｂ側の開口２８に沿って、ストッパー２４が磁着される磁性体として磁石３０が取り付けられている。この磁石３０は開口２８の全周に設けられていても良いが、ストッパー２４を磁着可能に開口２８の周に沿って一部のみ設けられていても良い。
【００１７】
次に、上記構成の魚釣用ルアー１の作用について説明する。
【００１８】
まず、魚釣用ルアー１を投入する場合には、竿先のガイド（図示せず）から僅かに釣糸を出した状態でルアー１を垂下させる。
【００１９】
この場合、ルアー１は、その前端（頭部）を上方にしてぶら下がった状態となる。すると、図１に実線で示されているように、重錘体２２が最も頭部側に配設されて重錘体２２とストッパー２４とが離間した状態から、重錘体２２が線材２０に沿って尾部側に移動する（落下する）。このような重錘体２２の移動（落下）により、重錘体２２の緩衝部材２２ｂとストッパー２４とが衝突して、ストッパー２４と仕切壁２６との磁着が容易に解除される。なお、重錘体２２とストッパー２４との衝撃およびその衝突音は、緩衝部材２２ｂによって吸収されて小さくなる。また、重錘体２２が小型に形成されているので、重錘体２２が線材２０に沿って摺動する音は抑制される。そして、図１に二点鎖線で示されているように、重錘体２２とともにストッパー２４が線材２０に沿って尾部側に移動された状態となる。
【００２０】
この状態で釣竿を振り下ろすと、重錘体２２が尾部側に寄ったままルアー１が着水する。続いて釣糸を引っ張ってリトリーブしていく。
【００２１】
ルアー１は中空なので、浮力を有する。また、リップ１６によって水の抵抗を受ける。このリップ１６は頭部側近傍に配置されているので、水の抵抗によって頭部側が降下し、浮力によって尾部側が上昇する。このため、重錘体２２が線材２０に沿って頭部側に移動するとともに、ストッパー２４が頭部側に移動する。
【００２２】
そして、ストッパー２４がルアー本体１ａ内の仕切壁２６の磁石３０に磁着する。重錘体２２は、さらに頭部側の線材２０の支持部１８まで移動する。この重錘体２２の緩衝部材２２ａと支持部１８との衝撃およびその衝突音は、緩衝部材２２ａによって吸収されて小さくなる。また、上述したように、重錘体２２が線材２０に沿って摺動する音は抑制される。
【００２３】
したがって、ルアー１は重錘体２２が頭部側に配置されるとともに、リップ１６によって水の抵抗を受けて頭部方向を下方に向けて泳動する。
【００２４】
以上説明したように、重錘体２２は線材２０に沿って移動するので、移動時の音の発生を防止することができる。このため、魚を警戒させることを防止することができる。
【００２５】
また、重錘体２２が前端側に移動した状態では、ストッパー２４によって重錘体２２の後方への移動が規制されるので、ルアー１の動きを良好にすることができる。
【００２６】
さらに、ルアー１の投入時にルアー１の頭部を上にしてぶら下げた状態にすると、重錘体２２が離間して位置するストッパー２４までルアー１の尾部側に移動する勢いでストッパー２４に衝突し、ストッパー２４と磁石３０との磁着を容易に解除することができる。このため、重錘体２２を尾部に確実に移動させることができる。なお、重錘体２２とストッパー２４とがルアー１の前端側にある時、両者の離間する距離は０．５ｍｍ以上であることが好適で、また、ストッパー２４は線材２０の長手方向中間より前端側で磁性部に保持される。
【００２７】
また、ルアー１の投入時には、重錘体２２が尾部側に寄った状態で投入するとともに着水するので、飛距離を大きく稼ぐことができる。
【００２８】
なお、この実施の形態では、仕切壁２６をルアー本体１ａ内の空間部２を完全に２つの空間部２ａ，２ｂに仕切るように設けたが、この仕切壁２６を重錘体２２の下側もしくは上側などの一部のみに設けても良い。
【００２９】
また、緩衝部材２２ａ，２２ｂは重錘体２２と一体的に設けたが、緩衝部材２２ａは重錘体２２が支持部１８に当接する位置に取付け、もしくは線材２０に遊嵌させても良い。緩衝部材２２ｂは線材２０に遊嵌させても良く、また、ストッパー２４に取り付けても良い。
【００３０】
［第２の実施の形態］
次に、第２の実施の形態について図２を用いて説明する。この実施の形態は第１の実施の形態の変形例であり、同一の部材には同一の符号を付し、詳しい説明を省略する。
【００３１】
図２は、この実施の形態に係る魚釣用ルアー１を示している。この実施の形態の突部としては、例えば、ルアー本体１ａの腹部に設けられた釣針止着部３が空間部２に向かって延びてその端部が接触端部３ａとなっている。この接触端部３ａは、後述する線材４６に沿って移動する重錘体２２には接触せず、後述するストッパー４４にのみ接触する長さに延びている。
【００３２】
釣糸止着部１４とリップ１６との間で、かつ、リップ１６側のルアー本体１ａ内部には、張出部４０が設けられている。そして、この張出部４０と尾部との間には後述するストッパー４４と磁着しない、金属材や樹脂材などの非磁性体からなることが好適な線材４６が架設されている。この場合、線材４６は、一端が張出部（支持部）４０に固定され、他端がルアー本体１ａの尾部を形成する壁面に固定されている。そして、この線材４６は頭部の釣糸止着部１４と尾部の釣針止着部３とを結ぶ線に対して頭部方向が腹部側に傾斜している。
【００３３】
また、重錘体２２の前端（頭部側）には、線材４６に沿って緩衝部材２２ｃが一体的に装着されている。なお、この緩衝部材２２ｃは、上述した緩衝部材２２ａ，２２ｂと同様に、例えばばねや樹脂材などの柔らかい材料からなることが好適である。
【００３４】
この重錘体２２の尾部側に遊嵌されたストッパー４４は、例えば円盤状の磁石（磁性体）からなることが好適である。また、このストッパー４４の中心軸は、上述した釣針止着部３の接触端部３ａ側にオフセットされていることが好適である。したがって、このストッパー４４は、釣針止着部３の接触端部３ａに磁着可能であり、この磁着位置と尾部との間を線材４６に沿って移動可能である。なお、ストッパー４４の形状は、例えば直方体や楕円盤状、もしくは球体状など、接触端部３ａで磁着可能であればよい。
【００３５】
次に、上記構成の魚釣用ルアー１の作用について説明する。なお、この実施の形態と上述した第１の実施の形態とで説明したルアー１は、ルアー１が着水してから浮力により尾部が頭部に比べて上昇するまではほぼ同様の作用を奏するので、説明を省略する。
【００３６】
このような尾部が頭部に比べて上昇した状態になると、重錘体２２が線材４６に沿って頭部側に移動するとともに、ストッパー４４が頭部側に移動する。
【００３７】
そして、ストッパー４４がルアー本体１ａ内の接触端部３ａに磁着する。重錘体２２は、さらに頭部側の線材４６の張出部（支持部）４０まで移動する。この重錘体２２の緩衝部材２２ｃと支持部４０との衝撃およびその衝突音は、緩衝部材２２ｃによって吸収されて小さくなる。
【００３８】
したがって、この実施の形態にかかるルアー１は第１の実施の形態で説明したルアー１と同様に泳動する。
【００３９】
以上説明したように、この実施の形態のルアー１は、第１の実施の形態で説明した仕切壁２６の代わりに釣針止着部３の接触端部３ａを突部として使用しているので、さらなる軽量化を図ることができる。
【００４０】
ところで、この実施の形態にかかる魚釣用ルアー１では、ストッパー４４の腹側の部位を接触端部３ａで磁着するように形成している。このような構成の他に例えばストッパー４４の上側（背側）など、ストッパー４４の周囲のいずれかからストッパー４４に向かって突起部などの突部（図示せず）を磁着可能に設けて、重錘体２２とストッパー４４とを離間させるようにしても良い。
【００４１】
また、この実施の形態にかかる釣針止着部３の接触端部３ａはストッパー４４の代わりに磁石となっていても良い。また、ストッパー４４は必ずしも接触端部３ａの方向にオフセットされている必要はなく、ストッパー４４の中心軸に沿って線材４６に遊嵌されていても良い。
【００４２】
また、この実施の形態にかかる重錘体２２の尾部側にも一体的に緩衝部材（図示せず）を設けても良い。
【００４３】
これまで、いくつかの実施の形態について図面を参照しながら具体的に説明したが、この発明は、上述した実施の形態に限定されるものではなく、その要旨を逸脱しない範囲で行なわれるすべての実施を含む。
【００４４】
【発明の効果】
以上説明したように、この発明によれば、重心移動時の音の発生を抑制するとともに、ルアー投入時に確実に重心を移動することができる魚釣用ルアーを提供することができる。
【図面の簡単な説明】
【図１】この発明の第１の実施の形態にかかる魚釣用ルアーの側断面図。
【図２】この発明の第２の実施の形態にかかる魚釣用ルアーの側断面図。
【符号の説明】
１…魚釣用ルアー、１ａ…ルアー本体、２…空間部、３，４…釣針止着部、３ａ…接触端部、１４…釣糸止着部、１８…突出部、２０…線材、２２…重錘体、２４…ストッパー、２６…仕切壁、２８…開口、３０…磁石、４０…張出部、４４…ストッパー、４６…線材
【図１】
0003772120.tif 000002
【図２】
0003772120.tif 000003